(57)【要約】【課題】着用者の身体に対するフィット性に優れるとともに、防漏カフの立ち上がりを良好に維持して、液漏れを効果的に抑制し得る吸収性物品を提供すること。【解決手段】吸収性本体１０は、中間部Ｍに配された第１領域Ａと、後方部Ｒに配され且つ吸収体４にスリットが形成された第３領域Ｃと、吸収体４にスリットが形成されていない第２領域Ｂとを有している。第２領域Ｂは、第１領域Ａに比して横方向Ｙの剛性が低く、且つ第３領域Ｃに比して縦方向Ｘの剛性が高い。第２領域Ｂは、第１領域Ａ及び第３領域Ｃに比して固定部を形成する固定材の単位面積当たりの存在量が少ない。一対の防漏カフ５，５それぞれには、縦方向Ｘに沿って、第２領域Ｂより前方の部位から該第２領域Ｂより後方の部位に亘って弾性部材５ａが配されており、該防漏カフ５，５は、縦方向Ｘにおける第２領域Ｂが存在する範囲において起立可能となっている。【選択図】図１
2020075044.tif 000002
【特許請求の範囲】
【請求項１】
着用者の前後方向に対応する縦方向及びこれに直交する横方向を有するとともに、着用時に着用者の排泄部と対向する排泄部対向部を含む中間部と、該中間部から縦方向前方に延在する前方部と、該中間部から縦方向後方に延在する後方部とを有し、且つ
吸収性本体と、該吸収性本体の縦方向に沿う両側部に配され、着用時に着用者の肌側に向かって起立する部分を有する一対の防漏カフとを具備し、該吸収性本体が、吸水性材料を含む吸収体と、該吸収体の肌対向面側に配された表面シートと、該吸収体の非肌対向面側に配された裏面シートとを具備する吸収性物品であって、
前記吸収性本体は、前記中間部に配された第１領域と、前記後方部に配され且つ前記吸収体にスリットが形成された第３領域と、これら両領域間に配され且つ前記吸収体にスリットが形成されていない第２領域とを有し、該第２領域は、前記第１領域に比して前記横方向の剛性が低く、且つ前記第３領域に比して前記縦方向の剛性が高く、
前記吸収性本体は、非肌対向面に該吸収性本体を着用者の着衣に固定する固定部を有し、前記第２領域は、前記第１領域及び前記第３領域に比して前記固定部を形成する固定材の単位面積当たりの存在量が少なく、
前記一対の防漏カフそれぞれは、前記縦方向に沿って、前記第２領域より前方の部位から該第２領域より後方の部位に亘って弾性部材が配されており、該防漏カフは前記縦方向における前記第２領域が存在する範囲において起立可能となっている、吸収性物品。
【請求項２】
前記固定部として、前記固定材が配された小固定部が前記縦方向に間欠配置された小固定部列を有し、該小固定部列は、相互間に間隔を置いて、前記吸収性本体の縦中心線の両側それぞれに形成されている、請求項１に記載の吸収性物品。
【請求項３】
前記吸収性本体の肌対向面に、前記表面シート及び前記吸収体が前記裏面シート側に一体的に凹陥してなる溝として、縦方向に延在する縦溝が、横方向に間隔を置いて一対形成されており、
前記一対の縦溝は、平面視において、前記第２領域に括れ部を有している、請求項１又は２に記載の吸収性物品。
【発明の詳細な説明】
【技術分野】
【０００１】
本発明は、着用者の肌側に向かって起立する防漏カフを備えた吸収性物品に関する。
【背景技術】
【０００２】
吸収性物品の中には一方向に伸縮性を有する弾性部材を具備することで、肌側に起立し、経血等の排泄物を堰き止めて横漏れを防止する防漏カフを備えるものがある。例えば、特許文献１には、トップシートの側部に配置された一対の防漏カフ（立体ギャザー）と、該一対の防漏カフを挟んでトップシートの外側に位置し、臀部側に配された第２ウイング状フラップとを具備する吸収性物品が記載されている。
【０００３】
また、特許文献２には、折り線が設けられた低目付部を有する吸収体と、該低目付部よりも前方及び後方に位置する第１及び第２接合部と、該低目付部又は該低目付部から幅方向の外側に延びる領域を跨いでいる弾性部材とを備える吸収性物品が記載されている。前記弾性部材は、防漏カフを構成している。特許文献２によれば、前記弾性部材の収縮によって低目付部とそれと重なる領域が着用者側に隆起することで、着用時の違和感や排泄物の漏れを抑制することができると記載されている。
【先行技術文献】
【特許文献】
【０００４】
【特許文献１】特開２０１１−０７２６５１号公報
【特許文献２】特開２０１７−１７６４４９号公報
【発明の概要】
【発明が解決しようとする課題】
【０００５】
ところで、肌にフィットさせる目的や、着用中に吸収性物品の折り皺が当接することによる違和感を低減させる目的から、吸収性物品を縦方向に伸ばすようにして着衣に固定することがある。このように固定すると、特許文献１に記載の吸収性物品では、防漏カフの弾性部材が伸長状態となり、防漏カフの起立性が低下して、防漏カフによる横漏れ防止効果が得られない。特許文献２に記載の吸収性物品では、低目付部が過度に隆起してフィット性が損なわれるため、装着時の違和感を生じさせる。
【０００６】
したがって本発明の課題は、前述した従来技術が有する欠点を解消し得る吸収性物品を提供することにある。
【課題を解決するための手段】
【０００７】
本発明は、着用者の前後方向に対応する縦方向及びこれに直交する横方向を有するとともに、着用時に着用者の排泄部と対向する排泄部対向部を含む中間部と、該中間部から縦方向前方に延在する前方部と、該中間部から縦方向後方に延在する後方部とを有し、且つ吸収性本体と、該吸収性本体の縦方向に沿う両側部に配され、着用時に着用者の肌側に向かって起立する部分を有する一対の防漏カフとを具備し、該吸収性本体が、吸水性材料を含む吸収体と、該吸収体の肌対向面側に配された表面シートと、該吸収体の非肌対向面側に配された裏面シートとを具備する吸収性物品であって、前記吸収性本体は、前記中間部に配された第１領域と、前記後方部に配され且つ前記吸収体にスリットが形成された第３領域と、これら両領域間に配され且つ前記吸収体にスリットが形成されていない第２領域とを有し、該第２領域は、前記第１領域に比して前記横方向の剛性が低く、且つ前記第３領域に比して前記縦方向の剛性が高く、前記吸収性本体は、非肌対向面に該吸収性本体を着用者の着衣に固定する固定部を有し、前記第２領域は、前記第１領域及び前記第３領域に比して前記固定部を形成する固定材の単位面積当たりの存在量が少なく、前記一対の防漏カフそれぞれは、前記縦方向に沿って、前記第２領域より前方の部位から該第２領域より後方の部位に亘って弾性部材が配されており、該防漏カフは前記縦方向における前記第２領域が存在する範囲において起立可能となっている、吸収性物品である。
【発明の効果】
【０００８】
本発明によれば、着用者の身体に対するフィット性に優れるとともに、防漏カフの立ち上がりを良好に維持して、液漏れを効果的に抑制し得る。
【図面の簡単な説明】
【０００９】
【図１】図１は、本発明の吸収性物品の一実施形態である生理用ナプキンの肌対向面側（表面シート側）を模式的に示す平面図である。
【図２】図２は、図１のＩ−Ｉ線断面を模式的に示す横断面図である。
【図３】図３は、図１のＩＩ−ＩＩ線断面を模式的に示す横断面図である。
【図４】図４は、図１に示す生理用ナプキンの非肌対向面側（裏面シート側）を模式的に示す平面図である。
【図５】図５（ａ）は、第２領域に形成された中央固定部の一実施形態を示す平面図であり、図５（ｂ）は、第２領域に形成された中央固定部の他の実施形態を示す平面図である。
【図６】図６は、図１に示す生理用ナプキンにおける吸収体の肌対向面側を模式的に示す平面図である。
【発明を実施するための形態】
【００１０】
以下、本発明の吸収性物品をその好ましい実施形態に基づき図面を参照して説明する。図１〜図４には、本発明の吸収性物品の一実施形態である生理用ナプキン１が示されている。ナプキン１は、図１及び図２に示すように、着用者の前後方向に対応し、着用者の腹側から股間部を介して背側に延びる縦方向Ｘと、これに直交する横方向Ｙとを有するとともに、着用時に着用者の排泄部（膣口等）と対向する部分である排泄部対向部を含む中間部Ｍと、該中間部Ｍより縦方向Ｘの前方すなわち着用者の前側（腹側）に配される前方部Ｆと、該中間部Ｍより縦方向Ｘの後方すなわち着用者の後側（背側）に配される後方部Ｒとを有する。中間部Ｍの前記排泄部対向部は、中間部Ｍの横方向Ｙの中央部に位置する。
【００１１】
ナプキン１は、主に夜間用の生理用ナプキンとして用いられる。夜間用の生理用ナプキンは、その着用時間が長時間にわたるため、着用中に排泄される経血等の排泄液の量も多くなり、多量の液を吸収し保持する高い吸収力及び保持力が必要とされる。これに対応するため、ナプキン１はある程度の大きさを有していることが好ましく、具体的には、縦方向Ｘの全長が、好ましくは２７ｃｍ以上、より好ましくは３０ｃｍ以上である。
【００１２】
図１に示すように、ナプキン１は、その縦方向Ｘへの折り畳みによって形成された１本の中央折り畳み線ＣＦＬを有し、該中央折り畳み線ＣＦＬは中間部Ｍと後方部Ｒとの境界をなしている。中央折り畳み線ＣＦＬは、表面シート２を内側にして（裏面シート３を外側にして）、ナプキン１を縦方向Ｘに折り畳むことによって形成されており、横方向Ｙに延びる直線状をなしている。中央折り畳み線ＣＦＬは、ナプキン１の縦方向Ｘの中央部に形成されていればよく、具体的には、ナプキン１の縦方向Ｘの中央を基準として、その基準から縦方向Ｘの前方側及び後方側それぞれにナプキン１の縦方向Ｘの全長の１０％以内の領域である。
【００１３】
また図１に示すように、ナプキン１の後方部Ｒには、後述する第３領域Ｃより縦方向Ｘの後方に、ナプキン１の折り畳みによって形成された後方折り畳み線ＲＦＬが１本形成されている。後方折り畳み線ＲＦＬも、中央折り畳み線ＣＦＬと同様に、表面シート２を内側にしてナプキン１を縦方向Ｘに折り畳むことによって形成されており、横方向Ｙに延びる直線状をなしている。後方折り畳み線ＲＦＬは、後述する第３領域Ｃと後方部Ｒの横溝９との間（内溝２３と横溝９との間）を横方向Ｙに延びている。後方折り畳み線ＲＦＬは通常、ナプキン１の縦方向Ｘの後端から縦方向Ｘの前方側にナプキン１の縦方向Ｘの全長の１０〜３０％離間した位置に形成される。
【００１４】
また図１に示すように、ナプキン１の前方部Ｆには、ナプキン１の折り畳みによって形成された前方折り畳み線ＦＦＬが１本形成されている。前方折り畳み線ＦＦＬも、中央折り畳み線ＣＦＬ及び後方折り畳み線ＲＦＬと同様に、表面シート２を内側にしてナプキン１を縦方向Ｘに折り畳むことによって形成されており、横方向Ｙに延びる直線状をなしている。前方折り畳み線ＦＦＬは、後述する第１領域Ａと前方部Ｆの横溝９との間を横方向Ｙに延びている。前方折り畳み線ＦＦＬは通常、ナプキン１の縦方向Ｘの前端から縦方向Ｘの後方側にナプキン１の縦方向Ｘの全長の１０〜３０％離間した位置に形成される。
【００１５】
このように、ナプキン１は、縦方向Ｘの前側から順に、前方折り畳み線ＦＦＬ、中央折り畳み線ＣＦＬ、後方折り畳み線ＲＦＬの合計３本の折り畳み線を有し、これらの折り畳み線は、ナプキン１が縦方向Ｘに折り畳まれて個包装される際に使用される。つまり、ナプキン１の個包装形態は、３本の折り畳み線による四つ折り形態である。
【００１６】
ナプキン１は、図１に示すように、縦方向Ｘに長い形状の吸収性本体１０と、吸収性本体１０における中間部Ｍの縦方向Ｘに沿う両側部それぞれから横方向Ｙの外方に延出する一対のウイング部１０Ｗ，１０Ｗとを有している。吸収性本体１０は、前方部Ｆから後方部Ｒにわたって延在している。吸収性本体１０の長手方向すなわちナプキン１の長手方向は、縦方向Ｘに一致し、該長手方向に直交する吸収性本体１０及びナプキン１の幅方向は、横方向Ｙに一致する。
【００１７】
本発明の吸収性物品における中間部Ｍは、ナプキン１のように吸収性物品がウイング部を有する場合には、中央折り畳み線ＣＦＬとウイング部前端部とで区分される領域であるところ、ここでいう「ウイング部前端部」とは、ナプキン１を例にとれば、一方のウイング部１０Ｗの縦方向Ｘの前方側の付け根である。つまり中間部Ｍは、一方のウイング部１０Ｗの前方側の付け根を通って横方向Ｙに延びる仮想直線を縦方向Ｘの前端とし、中央折り畳み線ＣＦＬを縦方向Ｘの後端とする、１つの連続した領域である。なお、ナプキン１においては、一対のウイング部１０Ｗ，１０Ｗは、ナプキン１を横方向Ｙに二分して縦方向Ｘに延びる縦中心線ＣＬを基準として左右対称に形成されており、一方のウイング部１０Ｗの前記前方側の付け根と他方のウイング部１０Ｗのそれとは、縦方向Ｘにおいて同位置に存する。
【００１８】
また、ウイング部を有しない吸収性物品（図示せず）における中間部Ｍは、該吸収性物品が個装形態に折り畳まれた際に生じる、該吸収性物品を横方向（幅方向、図中のＹ方向）に横断する２本の折り畳み線について、該吸収性物品の縦方向の前端から数えて第１折り畳み線と第２折り畳み線とに囲まれた領域を意味する。
【００１９】
ナプキン１を構成する吸収性本体１０は、図２及び３に示すように、吸水性材料を含む液保持性の吸収体４と、吸収体４の肌対向面側に配された表面シート２と、吸収体４の非肌対向面側に配された裏面シート３とを具備する。吸収体４は、表面シート２と裏面シート３との間に介在配置されている。
【００２０】
本明細書において、「肌対向面」は、吸収性物品又はその構成部材（例えば吸収体４）における、吸収性物品の着用時に着用者の肌側に向けられる面、すなわち相対的に着用者の肌に近い側であり、「非肌対向面」は、吸収性物品又はその構成部材における、吸収性物品の着用時に肌側とは反対側（着衣側）に向けられる面、すなわち相対的に着用者の肌から遠い側である。なお、ここでいう「着用時」は、通常の適正な着用位置、すなわち当該吸収性物品の正しい着用位置が維持された状態を意味する。
【００２１】
図１〜３に示すように、表面シート２は、吸収体４の肌対向面の全域を被覆し、裏面シート３は、吸収体４の非肌対向面の全域を被覆している。裏面シート３は、表面シート２よりも更に横方向Ｙの外方に延出し、後述するサイドシート６とともにサイドフラップ部１０Ｓを形成している。裏面シート３とサイドシート６とは、吸収体４の縦方向Ｘに沿う両側縁からの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３と吸収体４との間はそれぞれ接着剤によって接合されていてもよい。
【００２２】
吸収性本体１０は、図１及び図２に示すように、中間部Ｍにおける縦方向Ｘに沿う両側部に、吸収体４の縦方向Ｘに沿う両側縁４Ｓ，４Ｓから横方向Ｙの外方に延出する部材（本実施形態では裏面シート３及びサイドシート６）を含んで構成される一対のウイング部１０Ｗ，１０Ｗを有している。一対のウイング部１０Ｗ，１０Ｗは、それぞれ、サイドフラップ部１０Ｓの中間部Ｍに位置する部分が周辺部よりも横方向Ｙの外方に延出して形成されており、図１及び図２に示す如き平面視において、下底（上底に比して長い辺）が吸収性本体１０側に位置する略台形形状を有している。ウイング部１０Ｗは、その非肌対向面に後述する固定部を有している。ナプキン１の使用時において、ウイング部１０Ｗは、ショーツ等の着衣のクロッチ部の非肌対向面すなわち外面側に折り返され、前記固定部を介して該クロッチ部に固定される。
【００２３】
また、吸収性本体１０は、図１及び図２に示すように、後方部Ｒにおける縦方向Ｘに沿う両側部に、吸収体４の両側縁４Ｓ，４Ｓから横方向Ｙの外方に延出する部材（本実施形態では裏面シート３及びサイドシート６）を含んで構成される一対の後方フラップ部１０Ｈ，１０Ｈを有している。一対の後方フラップ部１０Ｈ，１０Ｈは、それぞれ、サイドフラップ部１０Ｓの後方部Ｒに位置する部分が周辺部よりも横方向Ｙの外方に延出して形成されている。後方フラップ部１０Ｈは、後述する固定部を有しており、該後方フラップ部１０Ｈの非肌対向面が広げられた状態、即ち吸収性本体１０の側方に延ばされた状態で前記固定部を介してショーツ等の着衣に固定される。
【００２４】
吸収性本体１０は、図１に示すように、中間部Ｍに配された第１領域Ａと、後方部Ｒに配され且つ吸収体４にスリットＲＳが形成された第３領域Ｃと、これら両領域Ａ，Ｃ間に配され且つ吸収体４にスリットが形成されていない第２領域Ｂとを有している。即ち、第１、第２及び第３領域Ａ，Ｂ，Ｃは、この順で中間部Ｍから縦方向Ｘに沿って並んで配置されている。第１、第２及び第３領域Ａ，Ｂ，Ｃは、図１及び図４に示すように、縦方向Ｘの各領域Ａ，Ｂ，Ｃが配された位置において、吸収体４の全幅に亘っている。
スリットは、吸収体４に形成された切れ目であり、その形成位置おいて吸収体４の形成材料が切断され又は形成材料が他の部位よりも相互に離れて分離されている。本実施形態の第３領域ＣにおいてスリットＲＳは、平面視直線状をなしているが、平面視形状はこれに限定されず波線等でもよい。またスリットは、縦方向Ｘに延びていることが好ましく、図示の如く縦中心線ＣＬに対して平行であってもよく、平行でなくてもよい。スリットは、平面視において縦中心線ＣＬ（縦方向Ｘ）に対して傾斜していてもよく、該縦方向Ｘとのなす角度が好ましくは４５度未満、より好ましくは３０度未満、さらに好ましくは１０度未満、さらに好ましくは０度である。即ち、スリットは縦方向Ｘに平行に延びることが最も好ましい。
本実施形態の第１領域Ａは、吸収体４にスリットＭＳが形成されているが、第１領域Ａは、吸収体４にスリットが形成されていなくともよい。
【００２５】
第１、第２及び第３領域Ａ，Ｂ，Ｃは、縦方向Ｘ又は横方向Ｙの剛性が異なっている。以下、第１領域Ａの縦方向Ｘの剛性をＸＡ、第２領域Ｂの縦方向Ｘの剛性をＸＢ、第３領域Ｃの縦方向Ｘの剛性をＸＣと表す。また、第１領域Ａの横方向Ｙの剛性をＹＡ、第２領域Ｂの横方向Ｙの剛性をＹＢ、第３領域Ｃの横方向Ｙの剛性をＹＣと表す。第２領域Ｂは、第１領域Ａに比して横方向Ｙの剛性が低く、且つ第３領域Ｃに比して縦方向Ｘの剛性が高い。即ち、以下の大小関係（１）を満たす。
大小関係（１）：ＹＡ＞ＹＢ、且つＸＣ＜ＸＢ
【００２６】
剛性は、吸収性本体１０における各領域Ａ，Ｂ，Ｃの屈曲性を示す指標であり、「剛性が高い」とは、その領域において吸収性本体１０が屈曲し難いことを意味し、「剛性が低い」とはその領域において吸収性本体１０が屈曲し易いことを意味する。剛性には、縦方向Ｘの剛性と、横方向Ｙの剛性とがあり、「縦方向Ｘの剛性」は、縦方向Ｘに沿って荷重が加えたられたときの剛性であり、「横方向Ｙの剛性」は、横方向Ｙに沿って荷重が加えたられたときの剛性である。剛性は以下の方法により測定される。
【００２７】
〔剛性の測定方法〕
吸収性本体の第１、第２及び第３領域それぞれから、縦方向Ｘの長さ３０ｍｍ、横方向Ｙの長さが吸収体の全幅となるサンプルを切り出す。第１領域は、吸収性本体の中間部の任意の縦方向の位置から切り出す。第３領域は、後方部においてスリットが形成された領域における任意の縦方向の位置から切り出す。第２領域は、第３領域において縦方向の最も前側に位置するスリットの前端から縦方向前側部分を第２領域の後端として特定し、該後端から縦方向前側に３０ｍｍの長さであって、吸収体の全幅となる幅のサンプルを切り出す。また、第２領域にはスリットが形成されていないことから、中間部の後端近傍にスリットが形成されている場合、該スリットの後端よりも後方側からサンプルを切り出す。非肌対向面に固定部がある場合は、非肌対向面に市販のティッシュペーパーを貼り付ける。測定には、ハンドロメーター（ＨＯＭ−２００特型、株式会社製大栄科学精器製作所）を用いる。ブレードの長手方向をナプキンの縦方向Ｘ又は横方向Ｙに一致させて、試験台のスリット上にサンプルを肌対向面が上となるように載置し、該サンプルの上からブレードを下降させる。ブレードの下降距離は、試験台面から８ｍｍとし、試験台のスリット幅は２０ｍｍとする。ブレードの長手方向をナプキンの縦方向Ｘに一致させて測定された剛性を縦方向Ｘの剛性とし、ブレードの長手方向をナプキンの横方向Ｙに一致させて測定された剛性を横方向Ｙの剛性とする。
【００２８】
吸収性本体１０は、図４に示すように、非肌対向面に該吸収性本体１０を着用者の着衣に固定する固定部を有している。吸収性本体１０は、固定部として、ウイング部１０Ｗに配されたウイング固定部１１、後方フラップ部１０Ｈに配された後方フラップ固定部１２、及び吸収体４に配された本体固定部１３を有している。本体固定部１３は、複数の小固定部１３ａからなり、該複数の小固定部１３ａが縦方向Ｘに沿って並んで配されているこれら固定部１１，１２，１３は、粘着剤等の固定材によって形成されており、その使用前においてはフィルム、不織布、紙等からなる剥離シート（図示せず）によって被覆されている。
【００２９】
第２領域Ｂは、第１領域Ａ及び第３領域Ｃに比して固定部を形成する固定材の単位面積当たりの存在量が少ない。本実施形態においては、第１領域Ａにウイング固定部１１及び複数の小固定部１３ａを、第３領域Ｃに後方フラップ固定部１２及び複数の小固定部１３ａをそれぞれ有する一方、第２領域Ｂに固定部を有していない。第２領域Ｂには、固定部が配されていてもよいが、その場合、第１及び第３領域Ａ，Ｃに比して固定部を形成する固定材の単位面積当たりの存在量が少なくなるように、第２領域Ｂに固定部を配置する。固定材の単位面積当たりの存在量は、以下の方法により測定される。
【００３０】
〔固定材の単位面積当たりの存在量の測定方法〕
吸収性本体１０から測定対象となる領域をサンプルとして切り出し、該サンプルの非肌対向面に黒色などの有色のトナー（ブラザー工業株式会社製、商品名「レーザープリンター用  詰め替えトナー粉ボトル  ５６０９７１」）を散布して、該サンプルにおける固定部を着色する。次いで、サンプルの非肌対向面の画像を取得し、画像処理によって前記画像を２値化処理して、サンプルの非肌対向面全体の面積に対する、着色された部分の面積の割合を算出し、これを固定材の単位面積当たりの存在量とする。
【００３１】
図１及び図３〜図５に示すように、吸収性本体１０の縦方向Ｘに沿う両側部には、ナプキン１の着用時に着用者の肌側に向かって起立する部分を有する一対の防漏カフ５，５が配されている。一対の防漏カフ５，５それぞれは、サイドシート６を主体として構成されており、該サイドシート６において、縦方向Ｘに沿って弾性部材５ａが配されている。
【００３２】
本実施形態において防漏カフ５は、横方向Ｙの内方側に、図２及び３に示すように、サイドシート６の折り返しにより二層構造となった部分を含んで構成されており、その二層構造を構成するサイドシート６，６間に、弾性部材５ａが伸長状態で固定されている。サイドシート６は、二層構造となった部分が、横方向Ｙの外方側で表面シート２に接合されており、該二層構造となった部分よりも横方向Ｙの外方側の部分が、縦方向Ｘの全長にわたって裏面シート３に接合されている。接合は、ホットメルト等の接着剤、熱融着等の公知の接合手段を用いることができる。
弾性部材５ａは糸状をなし、その長手方向を縦方向Ｘに一致させて、伸長状態で固定されている。本実施形態においては、各防漏カフ５に弾性部材５ａが１本配されているが、各防漏カフ５における弾性部材５ａの数は特に制限されず、１本でも複数本でもよい。
【００３３】
サイドシート６は、吸収性本体１０の縦方向Ｘの略全長にわたって、吸収性本体１０の縦方向Ｘに沿う側部に沿って配されており、吸収性本体１０の肌対向面すなわち表面シート２の肌対向面が、サイドシート６によって被覆されている。これにより一対の防漏カフ５，５は、それぞれ、前方部Ｆから後方部Ｒにわたって縦方向Ｘに連続的に配されている。一対の防漏カフ５，５それぞれは、第２領域Ｂより前方の部位から該第２領域Ｂより後方の部位に亘って弾性部材５ａが配されている。防漏カフ５，５は、縦方向Ｘにおける第２領域Ｂが存在する範囲において起立可能となっている。本実施形態の防漏カフ５，５は、弾性部材５ａが縦方向Ｘにおいて前方部Ｆから中間部Ｍを介して後方部Ｒに亘って配されており、該弾性部材５ａの収縮力によって、後述する起立阻害部５０よりも縦方向Ｘの内方に位置する部分が起立可能となっている。
【００３４】
前述したように、折り畳み線に起因する折り皺が肌に当接することを抑制して、装着時の違和感を低減する観点から、ナプキン１を縦方向Ｘに伸ばした状態で着衣に固定して、該ナプキンを使用することがある。ナプキン１は、剛性が上述した大小関係（１）を満たすため、第２領域Ｂが着用者の臀部の形状に沿って（屈曲）変形し易いとともに、後方部Ｒが柔軟に屈曲して着用者の臀部の割れ目（臀裂）に追従し易い。しかも、第２領域Ｂは、第１領域Ａ及び第３領域Ｃに比して、固定材の単位面積当たりの存在量が少ないため、第２領域Ｂが、着用者の股間部に容易に追従する。このようにナプキン１は、着用者の身体の形状に沿って変形するが、特に第２領域Ｂから縦方向Ｘの後方側が大きく湾曲するため、着用者の身体へのフィット性に優れる。さらに、第２領域より前方の部位から該第２領域より後方の部位に亘って配された弾性部材５ａが、前記後方部Ｒの湾曲によって縦方向Ｘの内方に収縮するため、防漏カフ５の立ち上がり（起立性）が良好に維持される。これにより、防漏カフは、縦方向Ｘにおいて第２領域が存在する範囲を含む、起立する部分において、液漏れを効果的に抑制することができる。
【００３５】
前記のフィット性を向上させる観点から、第１、第２及び第３領域Ａ，Ｂ，Ｃの各領域における剛性は大小関係（１）に加えて、以下の大小関係（２）を満たすことが好ましい。
大小関係（２）：ＸＡ＞ＸＢ＞ＸＣ
【００３６】
吸収性本体１０の屈曲性を向上させる観点から、第１、第２及び第３領域Ａ，Ｂ，Ｃの各領域における横方向Ｙの剛性は以下の範囲であることが好ましい。
ＹＡに対するＹＢは、好ましくは３０％以上８０％以下である。
ＹＢは、好ましくは３０ｃＮ以上８０ｃＮ以下である。
【００３７】
後方部Ｒをより湾曲させ易くする観点から、第１、第２及び第３領域Ａ，Ｂ，Ｃの各領域における縦方向Ｘの剛性は以下の範囲であることが好ましい。
ＸＡに対するＸＢは、好ましくは５０％以上９０％以下である。
ＸＣに対するＸＢは、好ましくは１１０％以上１７０％以下である。
ＸＢは、好ましくは１５ｃＮ以上４０ｃＮ以下である。
【００３８】
本実施形態において、第１領域Ａは、縦方向Ｘにおいて前方部Ｆの後方部分から中間部Ｍの後端部まで延びている。このように第１領域Ａは、中間部Ｍに配されていればよく、縦方向Ｘにおいて中間部Ｍの全長に亘って配されていることが好ましい。
【００３９】
フィット性を一層向上させる観点から、第２領域Ｂの縦方向Ｘの長さＬ２は、第３領域Ｃの縦方向Ｘの長さＬ３に対して好ましくは３０％以上７０％以下である。
第２領域Ｂの縦方向Ｘの長さＬ２は、好ましくは１０ｍｍ以上５０ｍｍ以下である。
上記と同様の観点から、第３領域Ｃの縦方向Ｘの長さＬ３は、好ましくは４０ｍｍ以上８０ｍｍ以下である。
【００４０】
排泄液を吸収させ易くする観点から、第１領域Ａの縦方向Ｘの長さＬ１は、好ましくは６０ｍｍ以上１２０ｍｍ以下である。
【００４１】
防漏カフ５の起立性を向上させる観点から、防漏カフ５の縦方向Ｘの全長は、第２領域Ｂの縦方向Ｘの長さＬ２に対して好ましくは１０倍以上１４倍以下である。
防漏カフ５の弾性部材５ａは、縦方向Ｘにおいて第２領域より前方の部位から該第２領域より後方の部位に亘って配されているが、上記と同様の観点から、第１領域Ａから第３領域Ｃに亘って配されていることが好ましい。また、弾性部材５ａによる伸縮性を有する部分の縦方向Ｘの全長は、第２領域Ｂの縦方向Ｘの長さＬ２に対して好ましくは７倍以上１０倍以下である。
【００４２】
第３領域Ｃに形成されたスリットＲＳの数は特に制限されず、該スリットＲＳの数が１本以上あればよく、好ましくは３本以上１０本以下である。第３領域ＣがスリットＲＳを複数有している場合、その複数のスリットＲＳは互いに、平面視形状及び縦中心線ＣＬに対する傾斜角度の何れか一方又は両方が同じでもよく、異なっていてもよい。また、複数のスリットＲＳが縦方向Ｘに一列に並ぶパターンよりも、図１に示す如き、横方向Ｙの位置が異なる２本以上のスリットＲＳが存するパターンが好ましい。
【００４３】
ナプキン１では、図６に示すように、第３領域Ｃにおける複数のスリットＲＳは、平面視形状及び縦中心線ＣＬに対する傾斜角度が互いに同じであり、各スリットＲＳは縦中心線ＣＬに平行に直線で延びている。複数のスリットＲＳは縦方向Ｘ及び横方向Ｙの両方向に分散した状態であって、千鳥状に配されている。具体的には、複数（２本）のスリットＲＳが縦方向Ｘに間欠配置されたスリット列が形成され、且つ該スリット列を横方向Ｙに投影したときに、該スリット列を構成するスリットＲＳの投影像の間に、該スリット列と横方向Ｙにおいて隣接する他のスリットの投影像が配置されるものである。
【００４４】
スリットＲＳは、図２に示すように、吸収体４を貫通していることが好ましい。またスリットＲＳは、図２に示すように、吸収体４の上下に配される表面シート２及び裏面シート３には形成されていないことが好ましい。また、図示していないが、表面シート２と吸収体４との間に別のシート（例えばサブレイヤ）が介在配置されている場合、スリットはその別のシートにも形成されていないことが好ましい。
【００４５】
吸収性本体１０は、固定部として、吸収体４に配された本体固定部１３を有していることが好ましい。本実施形態において本体固定部１３は、固定材が配された小固定部１３ａが縦方向Ｘに間欠配置された小固定部列１３ｂを有しこのように、固定材が縦方向Ｘに間欠配置された、いわゆるストライプ状の配置であると、吸収性本体１０の柔軟性が向上し、第２及び第３領域Ｂ、Ｃの屈曲性を向上させることができる。前記の屈曲性の観点から、小固定部列１３ｂにおける小固定部１３ａどうし間の距離Ｌ４は、好ましくは１ｍｍ以上５ｍｍ以下である。
【００４６】
本実施形態において、本体固定部１３は、第１領域Ａに形成された２列の小固定部列１３ｂと、第３領域Ｃに形成された２列の小固定部列１３ｂとを有している。一方、第２領域Ｂには、本体固定部１３が形成されていない。
【００４７】
本実施形態において、小固定部列１３ｂは、相互間に間隔を置いて、吸収性本体１０の縦中心線ＣＬの両側それぞれに形成されている。これにより、吸収性本体１０の柔軟性を向上させることができる。前記柔軟性の観点から、横方向Ｙにおける小固定部列１３ｂどうし間の距離Ｌ５は、吸収体４の全幅に対して好ましくは１５％以上５５％以下である。
【００４８】
製品の柔軟性を向上させ、装着時の身体へのフィット性を阻害させない観点から、小固定部列１３ｂを構成する小固定部１３ａの横方向Ｙの長さＷ１３は、好ましくは１０ｍｍ以上４０ｍｍ以下である。上記と同様の観点から、小固定部列１３ｂを構成する小固定部１３ａの縦方向Ｘの長さＬ１３は、好ましくは１ｍｍ以上５ｍｍ以下である。
【００４９】
本実施形態において第２領域Ｂには、本体固定部１３が形成されていないが、第２領域Ｂに本体固定部１３が形成されていてもよい。この場合、図５に示すように、第２領域Ｂには、縦中心線ＣＬ上に位置する固定部が形成されていることが好ましい。縦中心線ＣＬ上に位置する固定部を中央固定部１４ともいう。第２領域Ｂには、１個の中央固定部１４が形成されていてもよく〔図５（ａ）参照〕、中央固定部１４として複数の中央小固定部１４ａが形成されていてもよい〔図５（ｂ）参照〕。
【００５０】
吸収性本体１０の肌対向面には、図１に示すように、表面シート２及び吸収体４が裏面シート３側に一体的に凹陥してなる溝として、縦方向Ｘに延在する縦溝８が、横方向Ｙに所定間隔を置いて一対形成されているとともに、横方向Ｙに延在する横溝９が、一対の縦溝８，８それぞれの縦方向Ｘの後端に連結されている。一対の縦溝８，８は、それぞれ、前方部Ｆから中間部Ｍを通って後方部Ｒにわたって連続している。横溝９は、図１に示す如き平面視において、縦方向Ｘの外方に向かって凸の凸状をなし、その凸の頂部が縦中心線ＣＬ上に位置している。
【００５１】
一対の縦溝８，８は、それぞれ図１に示す如き平面視において、第２領域Ｂに括れ部８０を有している。括れ部８０は、一対の縦溝８，８間の距離が、縦方向Ｘにおける前後の部分に比して部分的に狭くなる部分である。括れ部８０を有すると、ナプキン１が非肌対向面側に凸となるように屈曲する際の起点となり、ナプキン１の屈曲性を向上させる。
【００５２】
なお、縦溝８は、括れ部に代えて、あるいは括れ部とともに、分断部を有していてもよい。分断部は、縦溝８の連続性が失われた部分であり、縦溝８を構成する凹陥部が形成されていない部分すなわち非凹陥部（平坦部）からなる。分断部も、括れ部と同様に、ナプキン１が非肌対向面側に凸となるように屈曲する際の起点となり得る部分である。縦溝８が有する分断部の、縦溝８の延びる方向に沿う長さは、好ましくは１０ｍｍ以上、そして好ましくは７０ｍｍ以下である。
【００５３】
縦溝８は、平面視において縦方向Ｘに延びる線状をなしていればよく、その長手方向と縦方向Ｘとのなす角度が４５度未満であればよい。横溝９は、平面視において横方向Ｙに延びる線状をなしていればよく、その長手方向と横方向Ｙとのなす角度が４５度未満であればよい。また、両溝８，９ともに、その長手方向に沿って凹陥部（表面シート２及び吸収体４が裏面シート３側に一体的に凹陥した部分）が連続する連続線状の溝でもよく、あるいは、凹陥部と非凹陥部（平坦部）とがその長手方向に交互に配された不連続線状の溝でもよい。不連続線の溝において、その長手方向において隣り合う凹陥部どうしの間隔（非凹陥部の該長手方向の長さ）は、好ましくは５ｍｍ以下である。また、縦溝８と横溝９との連結は、両溝８，９それぞれの凹陥部が連続している形態のみならず、縦溝８と横溝９との間に非凹陥部が介在する形態が包含され、後者の形態において、縦溝８と横溝９との間隔（介在する非凹陥部の両溝８，９の長手方向に沿う長さ）は、好ましくは５ｍｍ以下である。
【００５４】
本実施形態においては、前方部Ｆ及び後方部Ｒそれぞれに横溝９が形成されている。前方部Ｆの横溝９は、一対の縦溝８，８それぞれの縦方向Ｘの前端に連結され、後方部Ｒの横溝９は、一対の縦溝８，８それぞれの縦方向Ｘの後端に連結されており、これら両溝８，９の連結体は、平面視において閉じた環状をなしている。縦溝８及び横溝９は、それぞれ、縦中心線ＣＬを基準として左右対称に形成されている。縦溝８及び横溝９に囲まれた領域には、後述する高坪量部４３（中間部Ｍにおける、前方部Ｆ及び後方部Ｒに比して吸水性材料の坪量が高い領域）が存在している。
【００５５】
また、吸収性本体１０の肌対向面には、図１に示すように、後方部Ｒの横溝９よりも縦方向Ｘの内方に、横方向Ｙに延在する部分（横溝部）２３ｂを有する内溝２３が形成されている。内溝２３は、縦方向Ｘに延びる一対の縦溝部２３ａ，２３ａと、両縦溝部２３ａ，２３ａそれぞれの縦方向Ｘの後端に連結された横溝部２３ｂとを含んで構成され、縦中心線ＣＬを基準として左右対称に形成されている。横溝部２３ｂは、平面視において縦方向Ｘの外方に向かって凸の凸状をなし、その凸の頂部が縦中心線ＣＬ上に位置している。なお、縦溝部２３ａと横溝部２３ｂとの連結部は内溝２３の変曲点に位置しており、したがって、横溝部２３ｂは、内溝２３における変曲点よりも縦方向Ｘの外方に位置する。内溝２３についても、前述した溝８，９についての説明が適宜適用される。
【００５６】
前述した溝８，９，２３は、いわゆる防漏溝として機能し、吸収体４の平面方向特に横方向Ｙの液の拡散を抑制するとともに、吸収体４のヨレを防止し得る。溝８，９，２３は、熱を伴うか又は伴わない圧搾加工、あるいは超音波エンボス等のエンボス加工により常法に従って形成することができる。溝８，９，２３においては、表面シート２及び吸収体４が熱融着等により一体化しており、溝８，９，２３の底部はそれらの周辺部に比して高密度である。
【００５７】
図１に示すように、前方部Ｆ及び後方部Ｒそれぞれには、防漏カフ５の起立が阻害された起立阻害部５０が形成されている。起立阻害部５０は、防漏カフ５の縦方向Ｘの端部側において、横方向Ｙの内方側の縁部が、表面シート２に固定され、非自由端とされることで形成されている。前記起立阻害部５０によって、防漏カフ５における、前方部Ｆの起立阻害部５０と後方部Ｒの起立阻害部５０とに挟まれた部分が、弾性部材５ａの収縮力により、図２に示すように、防漏カフ５の横方向Ｙの内側の縁部を自由端として起立し得る。これにより、ナプキン１の肌対向面に排泄された経血等の排泄液の横漏れが効果的に防止される。
【００５８】
防漏カフ５における起立阻害部５０よりも縦方向Ｘの外方に位置する部分は、図１に示すように、端部接合部５３にて他の部材に接合されている。本実施形態においてこの「他の部材」は、表面シート２及び裏面シート３である。本実施形態においては、端部接合部５３は、図１に示す如き平面視において波線状ないしジグザグ線状をなし、少なくとも防漏カフ５の横方向Ｙの内方側縁部及びその近傍を、他の部材に接合している。端部接合部５３、及び前述した起立阻害部５０は、ホットメルト等の接着剤、熱融着等の公知の接合手段によって形成されている。
【００５９】
ナプキン１における吸収体４は、図２及び図３に示すように、着用時に着用者の排泄部に対向配置される中央吸収性シート４１と、平面視において中央吸収性シート４１と重なる部分及び中央吸収性シート４１の周縁から外方に延出する部分を有する本体吸収性シート４２とを含んで構成されており、複数枚のシートの積層構造体である。両吸収性シート４１，４２は何れも、親水性繊維及び吸水性ポリマーを含有する。
【００６０】
本発明において「吸収性シート」とは、親水性繊維、吸水性ポリマー等の吸水性材料を含むシート状の吸収構造体を意味し、吸水性材料を積繊してなる積繊体とは区別される。一般に、吸収性シートは、吸水性材料の積繊体に比して厚みが薄く低剛性であるため、吸収性シートを備えた吸収性物品は、厚みが薄い薄型であり、柔軟で着用感に優れ、またコンパクトに折り畳めてハンドリング性にも優れる。斯かる吸収性シートの特長をより有効に活用し、液拡散性、液保持性を十分に備え装着感の良好な吸収性物品を得る観点から、吸収性シートの１枚あたりの５ｃＮ／ｃｍ２の荷重下での厚みは、好ましくは０．１ｍｍ以上、より好ましくは０．３ｍｍ以上、そして、好ましくは２ｍｍ以下、より好ましくは１．５ｍｍ以下である。吸収性シートとしては例えば、特許第２９６３６４７号公報、特許第２９５５２２３号公報に記載のものを利用することができる。吸収性シートとして好ましいものを例示すると、湿潤状態の吸水性ポリマーに生じる粘着力や別に添加した接着剤や接着性繊維等のバインダーを介して、構成繊維間や構成繊維と吸水性ポリマーとの間を結合させてシート状としたものが挙げられる。
【００６１】
中央吸収性シート４１は、中間部Ｍ、あるいは中間部Ｍ及び前方部Ｆの中間部Ｍ寄りの部分において、ナプキン１又は吸収性本体１０の横方向Ｙの中央部に配されている。また中央吸収性シート４１は、図３に示すように、該シート４１を折り畳んでなる多層構造をなしている。この中央吸収性シート４１の折り畳み多層構造は、１枚の平面視略矩形形状の該シート４１が、該シート４１を横方向Ｙに略三等分する位置を通って縦方向Ｘに延びる２本の折り曲げ線にて同一面側（肌対向面側）に折り曲げられて、いわゆる巻き三つ折り状態に形成されたものであり、該シート４１の３層構造を有している。
【００６２】
また、本体吸収性シート４２も、図２に示すように、該シート４２を折り畳んでなる多層構造をなしている。この本体吸収性シート４２の折り畳み多層構造は、１枚の平面視略矩形形状の該シート４２が、縦方向Ｘに延びる２本の折り曲げ線にて同一面側（非肌対向面側）に折り曲げられ、且つ該シート４１の縦方向Ｘに沿う両端縁どうしが横方向Ｙの中央部で重ね合わされて形成されたものであり、その両端縁の重ね合わせ部は該シート４２の３層構造、該重ね合わせ部以外の部分は該シート４２の２層構造を有している。本体吸収性シート４２の折り畳み多層構造は、吸収体４の外形を形成している。
【００６３】
このように、ナプキン１における吸収体４は、１枚の本体吸収性シート４２の折り畳み構造の内部に、１枚の中央吸収性シート４１の折り畳み構造が内包された構成を有しているところ、中間部Ｍの横方向Ｙの中央部は、この中央吸収性シート４１の折り畳み構造が配されていることによって、周辺部に比して厚みが大きく且つ肌対向面側に隆起している。一方、吸収体４においてこの隆起した部分以外の部位は、中央吸収性シート４１の折り畳み構造が無く、本体吸収性シート４２の折り畳み構造を含んで構成されており、該隆起した部分に比して厚みの小さい部分となっている。前記隆起した部分を高坪量部４３、該高坪量部４３に比して厚みの小さい部分を標準吸収部４４ともいう。本実施形態の吸収体４は、中間部Ｍに高坪量部４３を有し、前方部Ｆ及び後方部Ｒに標準吸収部４４を有している。
【００６４】
高坪量部４３は、図１に示すように、平面視において長方形形状をなし、その長手方向を縦方向Ｘに一致させて、中間部Ｍの横方向Ｙの中央部に配されている。但し、高坪量部４３の平面視形状は任意に選択可能であり、長方形形状に限定されない。高坪量部４３の縦方向Ｘの長さは、好ましくは６０ｍｍ以上、より好ましくは８０ｍｍ以上、そして、好ましくは１５０ｍｍ以下、より好ましくは１２０ｍｍ以下である。また、高坪量部４３の横方向Ｙの長さは、好ましくは２５ｍｍ以上、より好ましくは３０ｍｍ以上、そして、好ましくは５５ｍｍ以下、より好ましくは５０ｍｍ以下である。
【００６５】
良好な装着感と高い吸収性能とを得る観点から、吸収体４における高坪量部４３の厚みは、好ましくは０．７ｍｍ以上、より好ましくは１ｍｍ以上、そして、好ましくは５ｍｍ以下、より好ましくは４ｍｍ以下である。吸収性能とフィット性とを向上させる観点から、吸収体４における標準吸収部４４の厚みは、好ましくは０．３ｍｍ以上、より好ましくは０．５ｍｍ以上、そして、好ましくは３ｍｍ以下、より好ましくは２．５ｍｍ以下である。
【００６６】
＜吸収性シート及び吸収体の厚みの測定方法＞
測定対象物である吸収性シート又は吸収体を水平な場所にシワや折れ曲がりがないように静置し、５ｃＮ／ｃｍ２の荷重下での厚みを測定する。本発明における厚みの測定には、厚み計PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ２となるようにプレートの大きさを調整する。
【００６７】
前記の屈曲性の観点から、第３領域Ｃに形成されたスリットは、以下の寸法を有していることが好ましい。
スリットＲＳの縦方向Ｘの長さａ（図６参照）は、好ましくは１０ｍｍ以上、より好ましくは１５ｍｍ以上、そして、好ましくは３５ｍｍ以下、より好ましくは２５ｍｍ以下である。
後方スリットＲ１の横方向Ｙの長さすなわち幅ｂ（図６参照）は、好ましくは０．１ｍｍ以上、より好ましくは０．２ｍｍ以上、そして、好ましくは１ｍｍ以下、より好ましくは０．８ｍｍ以下である。
スリット列内におけるスリットＲＳ，ＲＳの縦方向Ｘの間隔ｄ３（図６参照）は、好ましくは１０ｍｍ以上、より好ましくは１５ｍｍ以上、そして、好ましくは３５ｍｍ以下、より好ましくは２５ｍｍ以下である。
【００６８】
本実施形態において、第３領域Ｃには、縦中心線ＣＬに対して線対称となるように複数のスリットＲＳが形成されている。図６示すように、複数のスリットからなり、縦中心線ＣＬに対して互いに線対称となる一対のスリット領域ＲＳｒ，ＲＳｌが横方向Ｙに間隔を空けて配置されていることにより、吸収性本体１０の屈曲性を向上させることができる。これら一対のスリット領域ＲＳｒ，ＲＳｌ間の最短離間距離ｄ１は、好ましくは１０ｍｍ以上、より好ましくは２０ｍｍ以上、そして、好ましくは４０ｍｍ以下、より好ましくは３０ｍｍ以下である。
【００６９】
本実施形態では、第１領域Ａにおいて、第３領域Ｃと同じ寸法を有する複数のスリットＭＳが縦方向Ｘ及び横方向Ｙの両方向に分散した状態で配され、より具体的には千鳥状に配されている（図６参照）。第１領域Ａには、縦方向Ｘに並ぶ複数のスリットＭＳからなるスリット列が横方向Ｙに複数列並んで配置されている。スリット列間、即ちスリットＭＳ，ＭＳの横方向Ｙの間隔ｄ６（図６参照）は、好ましくは５ｍｍ以上、より好ましくは１０ｍｍ以上、そして、好ましくは２５ｍｍ以下、より好ましくは２０ｍｍ以下である。
【００７０】
ナプキン１の各構成部材の形成材料について説明する。表面シート２、裏面シート３としては、生理用ナプキン等の吸収性物品に従来使用されている各種のものを特に制限なく用いることができる。表面シート２としては液透過性シートが好ましく、具体的には例えば、公知の各種製法により製造された単層又は多層構造の不織布、開孔フィルム等が挙げられる。裏面シート３としては液不透過性シートが好ましく、具体的には例えば、樹脂フィルム、樹脂フィルムと不織布とのラミネートシート等が挙げられ、該樹脂フィルムは透湿性でもよい。なお、裏面シート３に関し、液不透過性とは、液を全く通さない性質と、少量ではあるが液を通す性質（液難透過性）との両方を含む概念である。裏面シート３は撥水性を有していてもよい。サイドシート６としては液不透過性シートが好ましく、例えば、裏面シート３として使用可能なものを用いることができる。
【００７１】
吸収体４に含まれる吸水性材料としては、この種の吸収性物品の吸収体において使用可能なものを特に制限なく用いることができ、例えば、親水性繊維及び吸水性ポリマーが挙げられ、これらの１種を単独で又は２種以上を組み合わせて用いることができる。親水性繊維としては、本来的に親水性の繊維でもよく、あるいは疎水性繊維を親水化処理した繊維でもよいが、前者の繊維が特に好ましい。本来的に親水性の繊維としては、天然系の繊維、セルロース系の再生繊維又は半合成繊維が好ましい例として挙げられ、好ましいものとして、パルプ、レーヨンを例示できる。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いてもよい。吸水性ポリマーとしては、一般に粒子状のものが用いられるが、繊維状のものでもよい。粒子状の吸水性ポリマーの形状は特に限定されず、例えば、球状、塊状、俵状、不定形状であり得る。吸水性ポリマーは、典型的には、アクリル酸又はアクリル酸アルカリ金属塩の重合物又は共重合物を主体とする。
【００７２】
以上、本発明について説明したが、本発明は前記実施形態に制限されず、本発明の趣旨を逸脱しない範囲で適宜変更可能である。
例えば、前記実施形態においては、吸収体が吸収性シートのみから構成されていたが、吸水性材料を積繊してなる積繊体のみから構成されていてもよく、両者を含んで構成されていてもよい。また、吸収体における吸収性シートの多層構造は、前記実施形態のように、１枚の吸収性シートが折り重ねられて形成された構成でもよく、あるいは複数枚の吸収性シートを折り畳まずに積層した構成でもよく、あるいは両構成を複合した構成でもよい。前述した複数の実施形態において互いに異なる構成を、適宜変更し、置換し、あるいは組み合わせた形態とすることもできる。
【００７３】
本発明は、経血、尿、便、汗などの体液の吸収に用いられる物品全般に適用することができるが、特に、生理用ナプキンなどの女性用吸収性物品、とりわけ、夜間に着用される夜間用の女性用吸収性物品に好適である。女性用吸収性物品としては、前記実施形態の如き生理用ナプキンの他に、例えば、パンティライナ、失禁パッド等が挙げられる。
【符号の説明】
【００７４】
１  生理用ナプキン（吸収性物品）
２  表面シート
３  裏面シート
４  吸収体
４１  中央吸収性シート
４２  本体吸収性シート
４３  高坪量部
４４  標準吸収部
５  防漏カフ
５ａ  弾性部材
５０  起立阻害部
５３  端部接合部
６  サイドシート
８  縦溝
９  横溝
１０  吸収性本体
１０Ｈ  後方フラップ部
１１  ウイング固定部
１２  後方フラップ固定部
１３  本体固定部
１４  中央固定部
２３  内溝
２３ａ  縦溝部
２３ｂ  横溝部
Ａ  第１領域
Ｂ  第２領域
Ｃ  第３領域
Ｆ  前方部
Ｍ  中間部
Ｒ  後方部
ＦＦＬ  前方折り畳み線
ＣＦＬ  中央折り畳み線
ＲＦＬ  後方折り畳み線
ＭＳ，ＲＳ  スリット
ＲＳｒ，ＲＳｌ  スリット領域
ＣＬ  縦中心線
Ｘ  縦方向
Ｙ  横方向
【図１】
2020075044.tif 000003
【図２】
2020075044.tif 000004
【図３】
2020075044.tif 000005
【図４】
2020075044.tif 000006
【図５】
2020075044.tif 000007
【図６】
2020075044.tif 000008